(57)【要約】【課題】ユーザの手のサイズ又は形状に関係なく使用でき、かつ耐久性に優れたマウスを提供する。【解決手段】弾性変形するシート状の板部材１１と、圧電フィルム２１，２２を備え、板部材１１に設けられ、かつ板部材１１の変形に応じた電位を出力するセンサ３１，３２と、センサ３１，３２からの出力を受付ける回路部１３と、を備える。【選択図】図３
2018206052.tif 000002
【特許請求の範囲】
【請求項１】
弾性変形するシート状の板部材と、
圧電フィルムを備え、前記板部材に設けられ、かつ前記板部材の変形に応じた電位を出力するセンサと、
前記センサからの出力を受付ける回路部と、
を備えるマウス。
【請求項２】
前記板部材は、該板部材の第一主面又は第二主面のいずれかが内側になるように弾性変形する請求項１に記載のマウス。
【請求項３】
前記板部材は、複数の領域に区分されている請求項１又は２に記載のマウス。
【請求項４】
前記センサは、前記複数の領域毎に設けられている請求項３に記載のマウス。
【請求項５】
前記板部材は、厚みが均一ではない請求項３又は４に記載のマウス。
【請求項６】
前記圧電フィルムは一軸方向に延伸されたポリ乳酸を含み、
前記一軸方向は前記板部材のねじれ変形の方向に対して略±４５°である請求項１から５のいずれか１項に記載のマウス。
【請求項７】
前記圧電フィルムは一軸方向に延伸されたポリ乳酸を含み、
前記一軸方向は、前記複数の領域毎に、前記板部材のねじれ変形又は曲げ変形の方向に対して略±４５°である請求項４又は５に記載のマウス。
【請求項８】
前記圧電フィルムは、
ユーザから押圧操作を受付ける第一区域と、
前記第一区域と少なくとも一部が隣接し、前記ユーザから前記押圧操作を受付ける第二区域と、をさらに備え、
前記センサは、前記第一区域で前記押圧操作を受付けたときと、前記第二区域で前記押圧操作を受付けたときとで、其々逆の極性の電位を出力する請求項１から７のいずれか１項に記載のマウス。
【発明の詳細な説明】
【技術分野】
【０００１】
本発明は、フレキシブルに変形可能なマウスに関する。
【背景技術】
【０００２】
特許文献１には、第１本体部及び第２本体部と、これら第１及び第２本体部を折り畳み可能に接続するヒンジと、ヒンジに備えられた挟み込み防止コンポーネントと、を備える折り畳み式マウスが開示されている。特許文献１に記載の折り畳み式マウスにおいては、挟み込み防止コンポーネントが、実質的に、第１及び第２本体部間においてヒンジに沿った挟み込みを防止している。
【先行技術文献】
【特許文献】
【０００３】
【特許文献１】特表２０１２−５０１４９７号公報
【発明の概要】
【発明が解決しようとする課題】
【０００４】
特許文献１に記載のマウスにおいては、折りたたむことができるが、ヒンジにより折り曲げているため、所定の位置でしか折り曲げることができない。このため、ユーザの手の大きさによってマウスを握った時のフィット感が異なる。さらに、ヒンジが壊れる可能性がある。
【０００５】
そこで、本発明の目的は、ユーザの手のサイズ又は形状に関係なく使用でき、かつ耐久性に優れたマウスを提供することにある。
【課題を解決するための手段】
【０００６】
本発明に係るマウスは、弾性変形するシート状の板部材と、圧電フィルムを備え、前記板部材に設けられ、かつ前記板部材の変形に応じた電位を出力するセンサと、前記センサからの出力を受付ける回路部と、を備えることを特徴とする。
【０００７】
この構成では、使用時にユーザがシート状の板部材を握りこむように把持すると、板部材は、弾性変形する。このとき、ユーザの手の形状に合わせて板部材は変形する。これにより、ユーザの手のサイズ又は形状がどのようなものであっても、板部材はユーザの手にフィットするように変形することができる。また、折れ曲がる箇所にヒンジ等の機械的な構造を設ける必要がない。このため、ヒンジ等の破損が防止されるため、マウスの耐久性を向上することができる。
【０００８】
ユーザが板部材にねじれ又は曲げなどの変形を与えると、板部材と共に圧電フィルムが変形する。センサは圧電フィルムの変形により出力された電位を回路部へ出力する。これにより、ユーザが板部材に与えるねじれ又は曲げなどの変形に応じた電位を得ることができる。
【発明の効果】
【０００９】
本発明によれば、ユーザの手のサイズ又は形状に関係なく使用でき、かつ耐久性に優れるマウスを提供できる。
【図面の簡単な説明】
【００１０】
【図１】図１は、第一実施形態に係るマウスの底面図である。
【図２】図２は、第一実施形態に係るマウスのブロック図である。
【図３】図３（Ａ）は、第一実施形態に係るマウスの使用状況を説明するための斜視図である。図３（Ｂ）は、第一実施形態に係るマウスの使用状況を説明するための平面図である。
【図４】図４（Ａ）は、第一実施形態に係るセンサの分解斜視図、図４（Ｂ）はその断面概略図である。
【図５】図５は第一実施形態に係る圧電フィルムを説明するための図である。
【図６】図６（Ａ）及び図６（Ｂ）は、第一実施形態に係る板部材の変形例を説明するための図である。
【図７】図７は、第一実施形態の変形例に係るマウスを説明するための平面図である。
【図８】図８は、第一実施形態の変形例に係るマウスを説明するための平面図である。
【図９】図９（Ａ）及び図９（Ｂ）は、第二実施形態に係るマウスのブロック図である。
【発明を実施するための形態】
【００１１】
図１は、第一実施形態に係るマウス１０の底面図である。図２は、第一実施形態に係るマウスのブロック図である。なお、図１に示すマウス１０はあくまで一例であり、これに限るものではなく仕様態様に応じて形状や素材等を適宜変更することができる。以下では、マウス１０の幅方向（横方向）をＸ方向とし、長さ方向（縦方向）をＹ方向とし、厚み方向をＺ方向として説明する。
【００１２】
図１に示すように、マウス１０は、板部材１１、センサ部１２、及び回路部１３を備える。センサ部１２は、ねじれを検出するねじれ用圧電フィルム２１、及び曲げを検出する曲げ用圧電フィルム２２を備える。センサ部１２は、板部材１１の底面側である第一主面に設けられている。なお、センサ部１２は、板部材１１の少なくともいずれか一方の主面に設けられている。言い換えると、板部材１１の第一主面又は第二主面のいずれか一方に設けられていればよい。
【００１３】
マウス１０は、第一主面又は第二主面のいずれか一方が内側になるように弾性変形する。これにより、マウス１０は、第一主面が内側になる形、又は逆に第二主面が内側になる形で使用することができる。したがって、裏表の両方で使用することができるため、左右を逆にすることができる。これにより、右利きユーザは第一主面が内側になる形で、逆に左利きユーザは第二主面が内側になる形で使用するように使い分けることができる。また、マウス１０を変形させたときの出力信号の極性によって、ユーザが右手でマウス１０を把持しているか、又は左手でマウス１０を把持しているかを判別することができる。
【００１４】
図２に示すように、センサ部１２は、ねじれを検出するねじれ用圧電フィルム２１、及び曲げを検出する曲げ用圧電フィルム２２を備える。回路部１３は、ねじれ用検出回路２３、曲げ用検出回路２４、制御部２５、通信部２６、及び電源２７を備える。ねじれ用検出回路２３は、ねじれ用圧電フィルム２１と接続され、ねじれ用圧電フィルム２１から出力される電荷を検出する。曲げ用検出回路２４は、曲げ用圧電フィルム２２と接続され、曲げ用圧電フィルム２２から出力される電荷を検出する。ねじれ用圧電フィルム２１及びねじれ用検出回路２３は、ねじれ用センサ３１を構成する。曲げ用圧電フィルム２２及び曲げ用検出回路２４は、曲げ用センサ３２を構成する。ねじれ用センサ３１及び曲げ用センサ３２は、本発明におけるセンサにそれぞれ相当する。
【００１５】
制御部２５は、ねじれ用検出回路２３、曲げ用検出回路２４、通信部２６、及び電源２７とそれぞれ接続されている。制御部２５は、不図示のＲＯＭなどのメモリに格納されたプログラム等を読み出して様々な制御処理を実行する。電源２７がＯＮにされることにより、制御部２５は起動される。制御部２５には、ねじれ用検出回路２３又は曲げ用検出回路２４で検出された電荷の出力信号がそれぞれ入力される。制御部２５は入力された出力信号に基づき、通信部２６を介して外部へ指示を送信する。通信部２６は、例えばWi−Fi（登録商標）規格、Bluetooth（登録商標）規格等の無線信号を入出力する。この通信部２６により、マウス１０は不図示のパーソナルコンピュータとの通信が可能となる。なお、通信部２６はマウス１０がワイヤレスマウスの場合に必要であり、マウス１０が有線接続される場合は不要とすることができる。
【００１６】
板部材１１は、マウス１０において二つの領域に区分されている。板部材１１は、ねじれ用センサ３１又は曲げ用センサ３２が備えられた領域に区分することができる。板部材１１は、区分されたそれぞれの領域において、ねじれ又は曲げを検出するセンサが備えられている。
【００１７】
図３（Ａ）は、マウス１０の使用状況を説明するための斜視図である。図３（Ｂ）は、マウス１０の使用状況を説明するための平面図である。図３（Ｂ）において、ユーザの手は破線で示している。また、実際には底面側であるため視認されないセンサ部１２を説明の便宜上実線で示している。
【００１８】
板部材１１は、弾性変形するシート状の部材からなる。板部材１１の材料としては、例えば、天然ゴムやブタジエンゴム、イソプレンゴム、又はシリコーンゴムなどの合成ゴム等が挙げられる。センサ部１２も板部材１１の変形にしたがって変形する部材から成る。このため、不使用時に板部材１１には力が加えられないため、板部材１１は平らなシート状に戻り、マウス１０は平面状の平板となる。したがって、マウス１０は嵩張らない形状を維持することができるため、持ち運びが容易となる。例えば、パーソナルコンピュータ本体に貼り付けても嵩張らず、スムーズに移動できる。また、パーソナルコンピュータ本体にマウス１０を収納するスロット又はホルダを設けてもよい。マウス１０は嵩張らないため、該スロット又は該ホルダに要する空間も少ないため、薄型のパーソナルコンピュータにも適用できる。
【００１９】
図３（Ａ）及び図３（Ｂ）に示すように、使用時にマウス１０は、ユーザによって把持されることにより、ユーザの手の形状に合わせて変形する。このため、マウス１０の形状を、ユーザの手にフィットさせることができる。したがって、マウス１０は、ユーザの手の形状やサイズに関係なく使用することができる。また、折れ曲がる箇所にヒンジ等の機械的な構造がないため、破損が防止される。さらに、マウス１０の変形を検知することにより、マウス１０にマウス１０の電源をＯＮ／ＯＦＦさせる機能を持たせることができる。これにより、スイッチを設ける必要がなく、簡単な構成で実現できる。また、スイッチの切り忘れによる余分な電力の消費を抑制することができる。
【００２０】
図４（Ａ）は、第一実施形態に係るねじれ用センサ３１の分解斜視図、図４（Ｂ）はその断面概略図である。図４（Ｂ）は、マウス１０を図１（Ａ）に示すＡ-Ａで切断した断面の概略図である。図４（Ａ）及び図４（Ｂ）において、ねじれ用センサ３１のうち、ねじれ用検出回路２３は省略されて表示されている。また、図４（Ａ）及び図４（Ｂ）において、ねじれ用センサ３１に対応する箇所の板部材１１を表示している。なお、曲げ用センサ３２の構造については、ねじれ用センサ３１の構造と同様であるため説明を省略する。
【００２１】
図４（Ａ）及び図４（Ｂ）に示すように、ねじれ用センサ３１は、シグナル電極４１、グランド電極４２、及びねじれ用圧電フィルム２１を備える。なお、図４（Ａ）及び図４（Ｂ）では、ねじれ用センサ３１は、シグナル電極４１、グランド電極４２、及びねじれ用圧電フィルム２１以外の配線等の図示は省略している。
【００２２】
ねじれ用センサ３１においては、シグナル電極４１、ねじれ用圧電フィルム２１、及びグランド電極４２は、ねじれ用圧電フィルム２１を挟んだ形で積層され相互に貼り付けられている。ねじれ用センサ３１を平面視した時、グランド電極４２又はシグナル電極４１の少なくとも一方は、上面視でねじれ用圧電フィルム２１と完全に重なるか、ねじれ用圧電フィルム２１より面方向内側に位置していると良い。例えば、グランド電極４２及びねじれ用圧電フィルム２１は概ね同様の形状に形成されていることが好ましい。これにより、電極の端部における短絡を抑制できる。
【００２３】
グランド電極４２は、ねじれ用圧電フィルム２１が貼り付けされていない面が板部材１１に貼り付けられている。これにより、板部材１１の変形にしたがってねじれ用センサ３１が変形する。なお、ねじれ用センサ３１は、シグナル電極４１側で板部材１１に貼り付けられていてもよい。
【００２４】
図５は、第一実施形態に係るねじれ用圧電フィルム２１及び曲げ用圧電フィルム２２を説明するための図である。図５は、ねじれ用圧電フィルム２１及び曲げ用圧電フィルム２２を平面視した図である。なお、図３（Ｂ）と同様に、紙面上側から見て上側に積層されて存在する板部材１１については、透過させた形で表している。また、ねじれ用圧電フィルム２１及び曲げ用圧電フィルム２２以外の構成については、省略している。
【００２５】
図５に示すように、ねじれ用圧電フィルム２１は、左クリック部２１１、及び右クリック部２１２を備える。曲げ用圧電フィルム２２は、左押圧部２２１、右押圧部２２２、中央手前押圧部２２３、及び中央押圧部２２４を備える。
【００２６】
ねじれ用圧電フィルム２１はキラル高分子から形成されるフィルムであってもよい。キラル高分子として、第一実施形態では、ポリ乳酸（ＰＬＡ）、特にＬ型ポリ乳酸（ＰＬＬＡ）を用いている。キラル高分子からなるＰＬＬＡは、主鎖が螺旋構造を有する。ＰＬＬＡは、一軸延伸されて分子が配向すると圧電性を有する。そして、一軸方向へ一軸延伸されたＰＬＬＡは、ねじれ用圧電フィルム２１の平板面が押圧されることにより、電圧を発生する。この際、発生する電圧量は、押圧量により平板面が当該平板面に直交する方向へ変位する変位量に依存する。
【００２７】
第一実施形態では、ねじれ用圧電フィルム２１（ＰＬＬＡ）の一軸延伸方向は、図５の矢印９０１に示すように、Ｙ方向に平行な方向としている。この方向には、例えば±１０度程度を含む角度を含む。これにより、ねじれ用圧電フィルム２１が押圧されることにより電圧が発生する。
【００２８】
例えば、ユーザが左クリック操作を行うと、左クリック部２１１に矢印９００に示すようなＸ方向及びＹ方向に対して４５°傾く方向に押圧操作が加えられる。これにより、矢印９００に示すような方向に垂直な方向に左クリック部２１１がねじれ、圧電フィルム２１から電圧が発生する。したがって、左クリック部２１１が押圧操作を受けたことを検出することができる。また、逆にユーザが、右クリック操作を行うと、右クリック部２１２に矢印９０３に示すようなＸ方向及びＹ方向に対して４５°傾く方向に押圧操作が加えられる。これにより、矢印９０３に示すような方向に垂直な方向に右クリック部２１２がねじれ、圧電フィルム２１から電圧が発生する。したがって、右クリック部２１２が押圧操作を受けたことを検出することができる。なお、従来の光の反射により位置などを検知するマウスと比較すると、光を反射させる机等の反射板が不要となる。
【００２９】
第一実施形態では、曲げ用圧電フィルム２２（ＰＬＬＡ）の一軸延伸方向は、図５の矢印９０２に示すように、Ｘ方向及びＹ方向に対して４５°傾く方向としている。この方向には、例えば±１０度程度を含む角度を含む。これにより、曲げ用圧電フィルム２２が押圧されることにより電圧が発生する。
【００３０】
ユーザがマウス１０をＹ方向へ押す動作を行うとき、ユーザは手のひらでマウス１０を押す。このとき、例えば、マウス１０を把持する指の先端がテーブルに接した状態で、且つ手のひらがテーブルから離れた状態とすることにより、マウス１０の操作性を向上させることができる。
【００３１】
ユーザは中央手前押圧部２２３を矢印９０４に示すような方向に押圧操作を加える。この操作により、中央手前押圧部２２３が矢印９０４に示すような方向に曲がる。この曲げ変形により、圧電フィルム２２から電圧が発生する。したがって、中央手前押圧部２２３が押圧操作を受けたことを検出することにより、ユーザがマウス１０をＹ方向へ押す動作を検知することができる。
【００３２】
逆に、ユーザがマウス１０を−Ｙ方向へ引く動作を行うとき、ユーザは中央押圧部２２４を矢印９０７に示すような方向に押圧操作を加える。この操作により、中央押圧部２２４が矢印９０７に示すような方向に曲がる。この曲げ変形により、圧電フィルム２２から電圧が発生する。ここで、中央押圧部２２４に加えられた曲げ変形は、中央手前押圧部２２３に加えられた曲げ変形と逆の向きである。これにより、圧電フィルム２２は、中央手前押圧部２２３が押圧操作を受けた時と逆の極性の電荷を発生する。したがって、中央押圧部２２４が押圧操作を受けたことを検出することにより、ユーザがマウス１０を−Ｙ方向へ引く動作を検知することができる。
【００３３】
ＰＬＬＡは、延伸等による分子の配向処理で圧電性を生じ、ＰＶＤＦ等の他のポリマーや圧電セラミックスのように、ポーリング処理を行う必要がない。すなわち、強誘電体に属さないＰＬＬＡの圧電性は、ＰＶＤＦ又はＰＺＴ等の強誘電体のようにイオンの分極によって発現するものではなく、分子の特徴的な構造である螺旋構造に由来するものである。このため、ＰＬＬＡには、他の強誘電性の圧電体で生じる焦電性がない。焦電性がないため、ユーザの指の温度や摩擦熱による影響が生じないため、マウス１０を薄く形成することができる。さらに、ＰＶＤＦ等は経時的に圧電定数の変動が見られ、場合によっては圧電定数が著しく低下する場合があるが、ＰＬＬＡの圧電定数は経時的に極めて安定している。したがって、周囲環境に影響されることなく、押圧による変位を高感度に検出することができる。なお、ＰＶＤＦを使用する場合であっても温度補償回路を形成し、温度による影響を補償させてもよい。
【００３４】
なお、ねじれ用圧電フィルム２１は、ＰＬＬＡに限られず、ＰＤＬＡであってもよい。
【００３５】
ねじれ用圧電フィルム２１の両主面に形成されているシグナル電極４１又はグランド電極４２は、アルミニウムや銅等の金属系の電極を用いるのが好適である。このようなシグナル電極４１又はグランド電極４２を設けることで、ねじれ用圧電フィルム２１が発生する電荷を電圧として取得でき、押圧量に応じた電圧値の押圧量検出信号を外部へ出力することができる。
【００３６】
図６（Ａ）及び図６（Ｂ）は、第一実施形態に係るマウス１０の変形例を説明するための図である。図６（Ａ）は、変形例に係るマウス６０を示したものである。図６（Ｂ）は、マウス６０を図６（Ａ）に示すＢ-Ｂで切断した断面図である。板部材１１の厚みが均一であったのに対して、板部材６１は厚みが均一ではない点のみ異なる。このため、板部材１１について板部材６１と異なる点について説明する。
【００３７】
図６（Ａ）に示すように、マウス６０は板部材６１を備える。図６（Ｂ）に示すように、板部材６１は、中央手前押圧部２２３及び中央押圧部２２４に対応する部分の厚みが他の部分に比べて厚い。これにより掌に接触する部分の硬度が高くなる。なお、中央手前押圧部２２３及び中央押圧部２２４に対応する部分の材料を他の硬度が高くなる材料で形成することにより、硬度を高めることも可能である。これにより、マウス６０を把持し易くすることができる。また、中央手前押圧部２２３及び中央押圧部２２４に対応する部分と他の部分との硬度が異なるため、これらの境で板部材６１が折れ曲がり易くなるため、マウス６０の立体形状が整い易くなる。なお、中央手前押圧部２２３及び中央押圧部２２４に対応する部分と他の部分との境に溝やスリットを設けることにより、板部材６１を折れ曲がり易くすることもできる。
【００３８】
図７は、第一実施形態の変形例に係るマウス７０を説明するための平面図である。マウス１０においてセンサ部１２がねじれ用圧電フィルム２１及び曲げ用圧電フィルム２２を備えるのに対して、マウス７０ではセンサ部７２が圧電フィルム７３及び圧電フィルム７４を備える点のみ異なる。このため、板圧電フィルム７３及び圧電フィルム７４についてねじれ用圧電フィルム２１及び曲げ用圧電フィルム２２と異なる点について説明する。
【００３９】
図７に示すように、センサ部７２は、圧電フィルム７３及び圧電フィルム７４を備える。圧電フィルム７３の左クリック部２１１（ＰＬＬＡ）の一軸延伸方向は、図７の矢印９０１に示すように、Ｙ方向に平行な方向としている。これに対して、圧電フィルム７３の右クリック部２１２（ＰＬＬＡ）の一軸延伸方向は、図５の矢印９０２に示すように、Ｘ方向及びＹ方向に対して４５°傾く方向としている。このように、圧電フィルム７３において左右の領域におけるＰＬＬＡの一軸延伸方向を異なる方向とすることにより、それぞれで異なったユーザの動きを検知することができる。
【００４０】
圧電フィルム７４の左押圧部２２１（ＰＬＬＡ）及び右押圧部２２２（ＰＬＬＡ）の一軸延伸方向は、図７の矢印９０１に示すように、Ｙ方向に平行な方向としている。これに対して、圧電フィルム７４の中央手前押圧部２２３及び中央押圧部２２４（ＰＬＬＡ）の一軸延伸方向は、図５の矢印９０２に示すように、Ｘ方向及びＹ方向に対して４５°傾く方向としている。このように、圧電フィルム７４において左右の領域と中央部とでＰＬＬＡの一軸延伸方向を異なる方向とすることにより、それぞれで異なったユーザの動きを検知することができる。
【００４１】
なお、使用態様に応じてそれぞれの圧電フィルムごとに延伸方向をさらに細かく複数の領域に区分したＰＬＬＡを使用することも可能である。また、逆にセンサ部７２全体を一枚のねじれ用圧電フィルムで、すなわち圧電フィルム全体のＰＬＬＡの一軸延伸方向が、図７の矢印９０２に示すように、Ｘ方向及びＹ方向に対して４５°傾く方向とすることもできる。このように、一枚の圧電フィルムとすることにより、製造が容易となる。
【００４２】
図８は、第一実施形態の変形例に係るマウス８０を説明するための平面図である。マウス８０はマウス１０の構成に加えて、さらにこすり操作を受付ける部分を有する点のみ異なる。このため、マウス８０についてこすり操作を受付ける部分についてのみ説明する。
【００４３】
図８に示すように、マウス８０はセンサ部１２にさらに第一区域８１と第二区域８２とを備える。第二区域８２は、第一区域８１と少なくとも一部が隣接している。例えば、第二区域８２は、第一区域８１に対してＹ方向にならんで形成されている。なお、第二区域８２は、第一区域８１の配置は、これに限られず、使用態様に応じて適宜変更可能である。
【００４４】
第一区域８１及び第二区域８２はユーザから押圧操作を受付け可能に配置されている。第一区域８１は第二区域８２が押圧操作を受付けた時と其々逆の極性の電位を出力する。例えば、第一区域８１が押圧操作を受付けた時にプラスの電位を発生する場合は、第二区域８２が押圧操作を受付けた時にマイナス電位を発生する。これにより、ユーザが第一区域８１及び第二区域８２を連続してこする、すなわちそれぞれの領域に押圧操作を加えると、押圧操作を加えた順にプラスからマイナス又はマイナスからプラスの電位が発生する。これにより、ユーザがいずれの方向へ第一区域８１及び第二区域８２をこすったかが判別できる。したがって、マウス８０に、いわゆるスクロールの機能を持たせることができる。
【００４５】
図９（Ａ）及び（Ｂ）は、第二実施形態に係るマウス９０のブロック図である。マウス９０は、マウス１０の構成に加えてスイッチ９１を備える点が異なる。また、マウス９０は制御部２５に信号処理回路９２及び駆動部９３を備える。マウス９０については、スイッチ９１の切り替えについて重点的に説明する。なお、圧電フィルムとして、ねじれ用圧電フィルム２１のみを挙げているが、曲げ用圧電フィルム２２についても同様の説明であるため省略する。
【００４６】
図９（Ａ）に示すように、第二実施形態に係るマウス９０は、スイッチ９１及び不図示の振動板を備えている。振動板は、長さ方向の端部において、ねじれ用圧電フィルム２１に接続されている。これにより、ねじれ用圧電フィルム２１で発生する伸縮を振動板に伝えることができる。スイッチ９１は、ねじれ用圧電フィルム２１、ねじれ用検出回路２３、及び駆動部９３に接続されている。スイッチ９１は、ねじれ用圧電フィルム２１に設けられた電極と、ねじれ用検出回路２３又は駆動部９３と、を選択的に接続する。
【００４７】
図９（Ａ）に示すように、ねじれ用検出回路２３において、利用者の押し込み操作によるねじれを検出する場合には、スイッチ９１をオフ状態として、駆動部９３と、ねじれ用圧電フィルム２１及びねじれ用検出回路２３と、を電気的に遮断する。
【００４８】
ねじれ用検出回路２３において、利用者の押し込み操作によるねじれを検出すると、図９（Ｂ）に示すように、スイッチ９１をオン状態として、駆動部９３と、ねじれ用圧電フィルム２１を電気的に接続する。信号処理回路９２は、ねじれ用検出回路２３で押し込み操作を検出した場合に、駆動部９３に対して、ねじれ用圧電フィルム２１に駆動振動を印加して、振動板を振動させる。これにより、利用者は、押し込むという操作によって、メカニカルスイッチに似た触感を得ることができる。
【００４９】
なお、実施形態において板部材１１として特に透光性には触れなかったが、板部材は透光性のある素材とすることも可能である。この場合、ＬＥＤなどを使用することにより、板部材１１をライトアップさせることができる。例えば、ユーザが板部材１１に力を必要以上加えたときに、光を点滅させることができる。これにより、マウス１０に必要以上の力が加えられて破損されることを防止することができる。また、ワイヤレスマウスの場合、電池の消耗具合によって光の輝度が変わる態様にしておくことにより、ユーザは電池の取り換え時期を知ることができる。また、板部材１１は、有機ＥＬのようなフレキシブルディスプレイであってもよい。
【００５０】
なお、実施形態においてマウス１０として図１に示す形状のものを挙げたが、マウス１０の形状はこれに限らない。マウス１０の形状として、例えば、板部材１１が円板状、又は多角形状等の他の形状が挙げられる。
【符号の説明】
【００５１】
１０…マウス
１１…板部材
１３…回路部
２１…ねじれ用圧電フィルム（圧電フィルム）
２２…曲げ用圧電フィルム（圧電フィルム）
３１…ねじれ用センサ（センサ）
３２…曲げ用センサ（センサ）
【図１】
2018206052.tif 000003
【図２】
2018206052.tif 000004
【図３】
2018206052.tif 000005
【図４】
2018206052.tif 000006
【図５】
2018206052.tif 000007
【図６】
2018206052.tif 000008
【図７】
2018206052.tif 000009
【図８】
2018206052.tif 000010
【図９】
2018206052.tif 000011